(57)【要約】【課題】携帯装置の呼制御に関し、国外仕様と国内仕様とを統合させることにより、国外仕様への適用の容易化を図る。【解決手段】国内仕様、国外仕様の呼制御が行える、携帯装置（２）の仕様統合制御システム（呼制御仕様統合システム１０）に関し、国内呼制御機能（国内呼制御機能部１４）と国外呼制御機能（国外呼制御機能部１６）とが分離されるとともに、アプリケーション（８）からの要求が国内呼制御機能と国外呼制御機能に分散している場合には、各機能を結合してネットワーク（ネットワーク部６）に要求を出し、ネットワークからのイベントが国内呼制御機能と国外呼制御機能に分散している場合には、２つの機能を結合してアプリケーションにイベントを出す構成である。【選択図】図１
2009152695.tif 000002
【特許請求の範囲】
【請求項１】
国内仕様、国外仕様の呼制御が行える、携帯装置の仕様統合制御システムであって、
国外仕様と分離された国内仕様の機能の実行に用いられる国内仕様機能部と、前記国内仕様と分離された国外仕様の機能の実行に用いられる国外仕様機能部とを備え、前記国外仕様機能部をベースに、前記国内仕様機能部が結合されてなることを特徴とする、携帯装置の仕様統合制御システム。
【請求項２】
請求項１記載の携帯装置の仕様統合制御システムにおいて、
前記国内仕様機能部が、国内仕様に基づき、通信先との呼制御を実行する国内呼制御機能部、又は該国内呼制御機能部を含む機能部であることを特徴とする、携帯装置の仕様統合制御システム。
【請求項３】
請求項１記載の携帯装置の仕様統合制御システムにおいて、
前記国外仕様機能部が、国外仕様に基づき、通信先との呼制御を実行する国外呼制御機能部、又は該国外呼制御機能部を含む機能部であることを特徴とする、携帯装置の仕様統合制御システム。
【請求項４】
国内仕様、国外仕様の呼制御が行える、携帯装置であって、
国外仕様と分離された国内仕様の機能の実行に用いられる国内仕様機能部と、前記国内仕様と分離された国外仕様の機能の実行に用いられる国外仕様機能部とを備え、前記国外仕様機能部をベースに、前記国内仕様機能部が結合されてなることを特徴とする、携帯装置。
【請求項５】
国内仕様、国外仕様の呼制御が行える、携帯装置の仕様統合制御方法であって、
国外仕様と分離された国内仕様の機能の実行に用いられる国内仕様機能を実現するステップと、
前記国内仕様と分離された国外仕様の機能の実行に用いられる国外仕様機能を実現するステップと、
前記国外仕様機能をベースに、前記国内仕様機能を結合させるステップと、
を含むことを特徴とする、携帯装置の仕様統合制御方法。
【発明の詳細な説明】
【技術分野】
【０００１】
本発明は、携帯電話端末装置等、電話機能を備えた携帯装置の呼制御システムに関し、特に、世界標準規格である３ＧＰＰ（3rd Generation Partnership Project）をベースとする国外仕様及び国内仕様を統合する仕様統合制御システム、携帯装置及び仕様統合制御方法に関する。
【背景技術】
【０００２】
携帯装置の呼制御を実現する場合、基本システムは世界標準規格の３ＧＰＰに準ずることである。しかし、日本国内には多数の独自の仕様が存在し、現実の実装には３ＧＰＰ用のＡＰＩ（Application Programming Interface ）があっても、国内仕様を中心とした独自のＡＰＩが用いられている。ＡＰＩは、ＯＳ（Operating System）とアプリケーションソフトウェアとの仲立ちをするミドルウェアである。
【０００３】
携帯装置の呼制御に関し、特許文献１には、国内仕様ソフトと海外仕様ソフトとを内蔵した制御手段を備え、国内仕様か海外仕様かの何れかに切換設定するための設定手段を備える集合住宅監視通話システムが開示されている。
【０００４】
また、特許文献２には、機能強化されたソフトウェアで作成された文書ファイルを従来のソフトウェアのままで読み出す際、未対応の機能が付加されている場合にも対応可能とする処理方法が開示されている。
【特許文献１】特開２００２−７４５５８号公報（要約、図１等）
【特許文献２】特開平１０−１３３９２２号公報（要約、図２等）
【発明の開示】
【発明が解決しようとする課題】
【０００５】
ところで、現在の国内仕様の携帯装置を国外仕様に適用する場合、国内仕様を中心とする独自のＡＰＩであれば、国外利用は困難であり、３ＧＰＰに準じたアプリケーションに対応するため、全て再実装が必要となる。また、国内仕様を３ＧＰＰ仕様に準じさせる場合には、独自のアプリケーションに追加実装が必要となり、３ＧＰＰのＡＰＩをそのまま使用することができない。このため、仕様変更には相当なコストがかかることになる。
【０００６】
このような仕様変更について、例をあげると、３ＧＰＰのＡＰＩをＢ（ｘ，ｚ）、独自のＡＰＩはＡ（ｘ，ｙ）とすれば、ｘ，ｚは３ＧＰＰパラメータ、ｙは国内仕様パラメータである場合、後者の例である、Ａ（ｘ，ｙ）は、そのままでは国外で使用することができない。
【０００７】
国内ではｘ，ｙパラメータだけを扱うため、独自のＡＰＩで問題はない。しかし、国内でもｚパラメータを使用することとなった場合、Ｂにはそもそもｚパラメータがあるが、Ａにはそれがないため、ｚパラメータを実装したＡ（ｘ，ｙ，ｚ）が必要となり、Ａ（ｘ，ｙ，ｚ）の再作成が不可欠となる。
【０００８】
このように、国内仕様ソフトウェアと国外仕様ソフトウェアとでは、異なるパラメータが存在するため、国内仕様の携帯端末装置を国外仕様に適用させるには、パラメータを追加したソフトウェアの再作成、再実装が必要となる。
【０００９】
斯かる要求や課題について、特許文献１、２にはその開示や示唆はなく、それを解決する構成等についての開示や示唆はない。
【００１０】
そこで、本発明の目的は、携帯装置の呼制御に関し、国外仕様と国内仕様とを統合させることにより、国外仕様への適用の容易化を図ることにある。
【００１１】
また、本発明の他の目的は、携帯装置の呼制御に関し、国外仕様と国内仕様とを統合させることにより、仕様変更や仕様追加のコスト低減を図ることにある。
【課題を解決するための手段】
【００１２】
上記目的を達成するため、本発明は、国内仕様、国外仕様の呼制御が行える、携帯装置の仕様統合制御システムに関し、国内呼制御機能と国外呼制御機能とが分離されるとともに、アプリケーションからの要求が国内呼制御機能と国外呼制御機能に分散している場合には、各機能を結合してネットワークに要求を出し、ネットワークからのイベントが国内呼制御機能と国外呼制御機能に分散している場合には、２つの機能を結合してアプリケーションにイベントを出す構成であり、上記目的を達成している。
【００１３】
そこで、上記目的を達成するため、本発明の第１の側面は、国内仕様、国外仕様の呼制御が行える、携帯装置の仕様統合制御システムであって、国外仕様と分離された国内仕様の機能の実行に用いられる国内仕様機能部と、前記国内仕様と分離された国外仕様の機能の実行に用いられる国外仕様機能部とを備え、前記国外仕様機能部をベースに、前記国内仕様機能部が結合されてなるものである。斯かる構成によれば、国内仕様機能と国外仕様機能とが分離されているとともに、国外仕様機能をベースに国内仕様が統合されているので、必要に応じて国内仕様及び／又は国外仕様として適応することができ、また、仕様の追加や変更のコスト削減を図ることができる。
【００１４】
上記目的を達成するためには、既述の携帯装置の仕様統合制御システムにおいて、好ましくは、前記国内仕様機能部が、国内仕様に基づき、通信先との呼制御を実行する国内呼制御機能部、又は該国内呼制御機能部を含む機能部であってもよいし、また、前記国外仕様機能部が、国外仕様に基づき、通信先との呼制御を実行する国外呼制御機能部、又は該国外呼制御機能部を含む機能部であってもよい。斯かる構成によっても、上記目的を達成することができる。
【００１５】
また、上記目的を達成するため、本発明の第２の側面は、国内仕様、国外仕様の呼制御が行える、携帯装置であって、国外仕様と分離された国内仕様の機能の実行に用いられる国内仕様機能部と、前記国内仕様と分離された国外仕様の機能の実行に用いられる国外仕様機能部とを備え、前記国外仕様機能部をベースに、前記国内仕様機能部が結合されてなるものである。斯かる構成により、上記目的が達成される。
【００１６】
また、上記目的を達成するため、本発明の第３の側面は、国内仕様、国外仕様の呼制御が行える、携帯装置の仕様統合制御方法であって、国外仕様と分離された国内仕様の機能の実行に用いられる国内仕様機能を実現するステップと、前記国内仕様と分離された国外仕様の機能の実行に用いられる国外仕様機能を実現するステップと、前記国外仕様機能をベースに、前記国内仕様機能を結合させるステップとを含むことである。斯かる構成により、上記目的が達成される。
【発明の効果】
【００１７】
以上説明したように、本発明によれば、次のような効果が得られる。
【００１８】
(1) 国外仕様をベースとした機能に国内仕様を結合させて統合仕様を確立するので、携帯装置の国外仕様の適用が容易になる。
【００１９】
(2) 国外仕様をベースに国内仕様を結合するので、国外仕様又は国内仕様に仕様の追加や変更を生じても、統合仕様に対し、各国外仕様又は国内仕様に必要な追加や変更を行うことで国外仕様や国内仕様に対応できるので、仕様の追加や変更のコスト削減を図ることができる。
【００２０】
そして、本発明の他の目的、特徴及び利点は、添付図面及び各実施の形態を参照することにより、一層明確になるであろう。
【発明を実施するための最良の形態】
【００２１】
〔第１の実施の形態〕
【００２２】
第１の実施の形態について、図１を参照する。図１は、第１の実施の形態に係る携帯装置の構成例を示す図である。図１に示す構成は一例であって、斯かる構成に本発明が限定されるものではない。
【００２３】
この携帯装置２は、国内仕様として国内呼制御機能、国外仕様として国外呼制御機能を備え、国内呼制御機能として３ＧＰＰ仕様にはない例えば、着もじ文字機能を備えている。この着もじ文字機能は、情報電話の呼出し中に相手の携帯装置に１０文字程度のメッセージを表示する国内仕様特有の機能である。
【００２４】
この携帯装置２には、アプリケーション部４と、ネットワーク部６とが備えられている。アプリケーション部４は携帯装置２に搭載されるソフトウェアであり、このソフトウェアにはネットワーク部６の通信制御機能や、ユーザに提供する各種のアプリケーション機能が含まれる。ネットワーク部６は携帯装置２に搭載される無線部やその制御部である。また、アプリケーション部４には、アプリケーション８及び呼制御仕様統合システム１０が含まれる。アプリケーション８は、呼制御に関し、国内仕様、国外仕様に対応する各種のアプリケーションが含まれる。３ＧＰＰ仕様にはない既述の、着もじ文字機能は、着もじ文字情報を表す特有の入力情報を有する。
【００２５】
呼制御仕様統合システム１０はアプリケーション８及び／又はネットワーク部６に対応するミドルウェアであって、国内仕様と国外仕様とを分離して格納し、又はこれらの統合仕様を格納し、アプリケーション８やネットワーク部６からの要求や応答により国内仕様及び／又は国外仕様を提供し、又は国外仕様をベースに国内仕様を統合し、統合仕様として提供する機能部である。
【００２６】
そこで、第１の実施の形態では、アプリケーション８からの要求に国内特有入力情報が存在し、ネットワーク部６からの応答に国内特有出力情報が無い場合の構成及び処理である。そこで、この呼制御仕様統合システム１０は、アプリケーション（ＡＰＬ）仕様判断機能部１２と、国内呼制御機能部１４と、国外呼制御機能部１６と、入出力情報管理部１８と、ネットワーク（ＮＷ）仕様判断機能部２０とを備えている。ＡＰＬ仕様判断機能部１２は、アプリケーション８からの要求が国内仕様か国外仕様かを判断する判断手段である。国内呼制御機能部１４は、国内仕様である国内呼制御を実行する制御手段であって、国内仕様に関する情報を保持する保持機能として記憶機能を備えている。国外呼制御機能部１６は、国外仕様である国外呼制御を実行する制御手段であって、国外仕様に関する情報を保持する保持機能として記憶機能を備えている。入出力情報管理部１８は、入出力情報の管理手段であって、国内仕様の入力情報や出力情報を記憶する記憶手段を備えている。また、ＮＷ仕様判断機能部２０は、ネットワーク部６からの要求が国内仕様か国外仕様かを判断する判断手段である。
【００２７】
斯かる構成においてはアプリケーション８は、国内呼制御機能と国外呼制御機能を必要に応じて呼びわける。アプリケーション８からの要求が国内呼制御機能と国外呼制御機能に分散している場合には、国内呼制御機能及び国外呼制御機能の２つの機能を結合してネットワーク部６に要求を出力する。
【００２８】
また、ネットワーク部６からのイベントについては、ＮＷ仕様判断機能部２０が国内呼制御機能と国外呼制御機能を必要に応じて呼びわける。ネットワーク部６からのイベントが国内呼制御機能と国外呼制御機能に分散している場合には、国内呼制御機能及び国外呼制御機能の２つの機能を結合してアプリケーション８にイベントを出力する。
【００２９】
そして、ＡＰＬ仕様判断機能部１２が設置されているので、アプリケーション８に含まれる既存のアプリケーションに影響を与えない処理例えば、アプリケーションの再作成を不要とする処理を可能にしている。
【００３０】
次に、第１の実施の形態の処理手順について、図２を参照する。図２は、処理手順を付加して示した携帯装置の構成例を示す図である。図２に示す構成は一例であって、斯かる構成に本発明が限定されるものではない。図２において、図１と同一部分には同一符号を付してある。
【００３１】
この第１の実施の形態は、国外呼制御機能部１６からの入力情報と、国内呼制御機能部１４から取得した国内特有入力情報とを複合し、ネットワーク部６に通知し、また、ネットワーク部６からの国外仕様情報をアプリケーション８に通知し、呼制御を実行する構成及び処理を含んでいる。そこで、呼制御仕様統合システム１０において、ＡＰＬ仕様判断機能部１２では、アプリケーション８の処理に基づく機能呼出に対し、国内仕様特有の入力情報の有無を判断する。呼び出された機能に国内仕様特有の入力情報が有る場合には、国内呼制御機能部１４から国内呼制御機能を呼び出す。国内呼制御機能部１４は国内仕様特有の入力情報をデータとして保持する機能を備えているので、この機能を利用し、国内制御機能部１４から国内仕様の呼制御機能が呼び出される。このデータは入出力情報管理部１８に格納され、データ管理に付される。このデータ管理完了後、ＡＰＬ仕様判断機能部１２は国外呼制御機能を呼び出し、国外呼制御機能部１６は入力情報をＮＷ仕様判断機能部２０に通知する。ＮＷ仕様判断機能部２０では、国外呼制御機能部１６から通知された情報に国内呼制御機能部１４より取得した国内仕様特有の入力情報を加え、ネットワーク部６に送信する。その後、ネットワーク部６からの応答に対し、ＮＷ仕様判断機能部２０は、応答情報に国内特有の情報が含まれるか判断する。応答情報に国内仕様特有の情報が無い場合、ＮＷ仕様判断機能部２０は国外呼制御機能を呼び出し、国外呼制御機能部１６はその応答情報をＡＰＬ仕様判断機能部１２に通知する。ＡＰＬ仕様判断機能部１２は国外呼制御機能部１６から通知された情報をアプリケーション８へ通知し、アプリケーション８側の処理に復帰する。
【００３２】
次に、処理手順について、図３及び図４を参照する。図３及び図４は、第１の実施の形態に係る処理手順を示すフローチャートである。このフローチャートの処理手順は一例であって、この処理手順に本発明が限定されるものではない。図３及び図４において、フローチャートの端末部にある、ａはフローチャート間の結合部分である連結子を示す。また、各処理ステップに記載した数字（１a 、２a ・・・）は、図２に示す処理番号に対応する。
【００３３】
この処理手順は、仕様統合制御方法又は仕様統合制御プログラムの処理手順の一例であって、この処理手順には、アプリケーション８側の呼制御の処理に基づくアプリケーション８からの要求応答型の要求に対応し、国内仕様か国外仕様かの判断に基づき、国内仕様、国外仕様又は統合仕様をアプリケーション８に対して応答する処理を含んでいる。
【００３４】
そこで、アプリケーション８から要求応答型の要求を行い（１ａ、ステップＳ１）、その要求に国内特有入力情報が有るか否かをＡＰＬ仕様判断機能部１２により判断する（ステップＳ２）。ここで、国内特有入力情報とは、国内仕様特有の情報を含む入力情報であって、この国内仕様特有情報により国内仕様であるか否かを特定できる入力情報である。
【００３５】
要求に国内特有入力情報が有る場合（ステップＳ２のＹＥＳ）には、処理ＡとしてステップＳ３ないしステップＳ６が実行され、国内特有入力情報が無い場合（ステップＳ２のＮＯ）には、国外仕様のみの要求、若しくは処理Ｃ（図６）が実行される（ステップＳ７）。
【００３６】
処理Ａでは、ＡＰＬ仕様判断機能部１２は国内呼制御機能部１４に国内特有入力情報を保持させ（２ａ、ステップＳ３）、ＡＰＬ仕様判断機能部１２は国外呼制御機能部１６に要求を送信し（３ａ、ステップＳ４）、国外呼制御制御機能部１６はＮＷ仕様判断機部２０に要求を送信し（４ａ、ステップＳ５）、ＮＷ仕様判断機能部２０は国外呼制御機能部１６から受け取った入力情報と、国内呼制御機能部１４より取得する国内特有入力情報とを複合し、ネットワーク部６に送信し（５ａ、６ａ、ステップＳ６）、この要求処理を完了する。
【００３７】
また、この処理手順には、ステップＳ６の後、ネットワーク部６から要求応答型の応答を受信し、応答に含まれる国内特有出力情報の有無を確認し、それに基づくアプリケーション８に対する通知処理が含まれる。
【００３８】
そこで、図４に示すように、ネットワーク部６から要求応答型の応答を受信し（７ａ、ステップＳ８）、その応答に国内特有出力情報が有るか否かをＮＷ仕様判断機能部２０で判断する（ステップＳ９）。ここで、国内特有出力情報とは、国内特有入力情報と同様に国内仕様特有の情報を含む出力情報であって、この国内仕様特有情報により国内仕様であるか否かを特定できる出力情報である。
【００３９】
応答に国内特有出力情報が無い場合（ステップＳ９のＮＯ）には、処理Ｂとして、ステップＳ１０ないしステップＳ１２が実行され、応答に国内特有出力情報が有る場合（ステップＳ９のＹＥＳ）には、処理Ｆ（図１０）が実行される（ステップＳ１３）。
【００４０】
処理Ｂでは、ＮＷ仕様判断機能部２０は国外呼制御機能部１６に応答を送信し（８ａ、ステップＳ１０）、国外呼制御機能部１６はＡＰＬ仕様判断機能部１２に応答到着を通知する（９ａ、ステップＳ１１）。ＡＰＬ仕様判断機能部１２はネットワーク部６からの国外仕様情報をアプリケーション８に通知し（１０ａ、ステップＳ１２）、この応答処理を完了する。
【００４１】
このように、国外呼制御機能部１６からの入力情報と、国内呼制御機能部１４から取得した国内特有入力情報とを複合し、ネットワーク部６に通知し、また、ネットワーク部６からの国外仕様情報をアプリケーション８に通知し、呼制御を実行する構成とすれば、アプリケーション８からの要求に対応する仕様を以てネットワーク部６との連携が図られ、アプリケーション８に対応した呼制御を実現することができる。
【００４２】
そして、このような構成及び処理について、国内仕様をＣ（ｘ，ｙ）、３ＧＰＰの規格に代表される国外仕様をＤ（ｘ，ｚ）とすると、呼制御仕様統合システム１０では、国外仕様をベースとした統合仕様としてＥ（ｘ，ｙ，ｚ）が備えられているので、国内仕様に対してはＣ＝Ｅ（ｘ，ｙ）で対応し、国外仕様に対しては、Ｄ＝Ｅ（ｘ，ｚ）で対応すればよく、パラメータを追加したソフトウェアの再作成、再実装は不要である。具体的な例をあげれば、１５桁の電話番号に対応することを前提とした国外仕様をベースに国内仕様を統合させた統合仕様では、国内仕様に対応するには１０桁の電話番号での呼制御を行い、国外仕様に対応するには１５桁に単純に変更すればよく、プログラムの変更や再作成をする必要がないということである。
【００４３】
〔第２の実施の形態〕
【００４４】
第２の実施の形態について、図５を参照する。図５は、第２の実施の形態に係る処理手順を付加して示した携帯装置の構成例を示す図である。図５に示す構成は一例であって、斯かる構成に本発明が限定されるものではない。図５において、図１と同一部分には同一符号を付してある。
【００４５】
この第２の実施の形態は、国内呼制御機能部１４からの出力情報と、ネットワーク部６からの国外仕様出力情報とを複合した情報をアプリケーション８に通知し、呼制御を実行する構成及び処理を含んでいる。そこで、呼制御仕様統合システム１０において、ＡＰＬ仕様判断機能部１２は、アプリケーション８からの機能呼出に対し、国内仕様特有の入力情報の有無を判断する。国内仕様特有の入力情報は、第１の実施の形態で既述した通りである。この国内仕様特有の入力情報が無い場合、国外呼制御機能部１６を呼び出す。国外呼制御機能部１６は入力情報をＮＷ仕様判断機能部２０に通知する。
【００４６】
ＮＷ使用判断機能部２０は国外呼制御機能部１６が通知した情報をネットワーク部６に送信する。その後、ネットワーク部６からの通知に対し、ＮＷ仕様判断機能部２０は、通知情報に国内仕様特有の情報が含まれるか判断する。国内仕様特有の情報が有る場合、ＮＷ仕様判断機能部２０は国内仕様特有の通知情報を国内呼制御機能部１４に通知する。国内呼制御機能部１４は国内仕様特有の通知情報をデータとして管理する。データ管理完了後、ＮＷ仕様判断機能部２０は国外呼制御機能部１６を呼び出す。
【００４７】
国外呼制御機能部１６は通知情報をＡＰＬ仕様判断機能部１２に通知する。ＡＰＬ仕様判断機能部１２は、国外呼制御機能部１６から通知された情報に、国内呼制御機能部１４が管理する国内仕様特有の通知情報を加え、アプリケーション８に通知する。
【００４８】
次に、この処理内容について、図６及び図７を参照する。図６及び図７は、第２の実施の形態に係る処理手順を示すフローチャートである。このフローチャートの処理手順は一例であって、この処理手順に本発明が限定されるものではない。図６及び図７において、フローチャートの端末部にある、ｂはフローチャート間の結合部分である連結子を示す。また、各処理ステップに記載した数字（１ｂ、２ｂ・・・）は、図５に示す処理番号に対応する。
【００４９】
この処理手順では、アプリケーション８から要求応答型の要求を行い（１ｂ、ステップＳ２１）、その要求に国内特有入力情報が有るか否かをＡＰＬ仕様判断機能部１２にて判断する（ステップＳ２２）。ここで、国内特有入力情報は既述の通りである。
【００５０】
国内特有入力情報が有る場合（ステップＳ２２のＹＥＳ）には、処理Ａ（図３）又は処理Ｅ（図９）が実行され（ステップＳ２３）、国内特有入力情報が無い場合（ステップＳ２２のＮＯ）には、処理Ｃが実行される。
【００５１】
処理Ｃでは、ＡＰＬ仕様判断機能部１２は国外呼制御機能部１６に要求を送信し（２ｂ、ステップＳ２４）、国外呼制御機能部１６はＮＷ仕様判断機能部２０に要求を送信し（３ｂ、ステップＳ２５）、ＮＷ仕様判断機能部２０はネットワーク部６にその要求を送信する（４ｂ、ステップＳ２６）。
【００５２】
また、処理Ｃの後、図７に示すように、ネットワーク部６から要求応答型の応答を受信し（５ｂ、ステップＳ２７）、その応答に国内特有出力情報が有るか否かをＮＷ仕様判断機能部２０にて判断する（ステップＳ２８）。国内特有出力情報は既述の通りである。
【００５３】
応答に国内特有出力情報が無い場合（ステップＳ２８のＮＯ）には、国外仕様のみの応答となり（ステップＳ２９）、また、応答に国内特有出力情報が有る場合（ステップＳ２８のＹＥＳ）には、処理Ｄが実行される。
【００５４】
処理Ｄでは、ＮＷ仕様判断機能部２０は国内呼制御機能部１４に国内特有出力情報を保持させ（６ｂ、ステップＳ３０）、ＮＷ仕様判断機能部２０は国外呼制御機能部１６に応答を送信し（７ｂ、ステップＳ３１）、国外呼制御機能部１６はＡＰＬ仕様判断機能部１２に応答到着を通知し（８ｂ、ステップＳ３２）、ＡＰＬ仕様判断機能部１２は、国内呼制御機能部１４に保持する出力情報と、ネットワーク部６からの国外仕様出力情報とを複合した情報をアプリケーション８に通知する（９ｂ、１０ｂ、ステップＳ３３）。
【００５５】
このように、国内呼制御機能部１４からの出力情報と、ネットワーク部６からの国外仕様出力情報とを複合した情報をアプリケーション８に通知し、呼制御を実行する構成としても、アプリケーション８からの要求に対応する仕様を以てネットワーク部６との連携が図られ、アプリケーション８に対応した呼制御を実現することができる。そして、第２の実施の形態においても、第１の実施の形態と同様に既述の効果が得られる。
【００５６】
〔第３の実施の形態〕
【００５７】
第３の実施の形態について、図８を参照する。図８は、第３の実施の形態に係る処理手順を付加して示した携帯装置の構成例を示す図である。図８に示す構成は一例であって、斯かる構成に本発明が限定されるものではない。図８において、図１と同一部分には同一符号を付してある。
【００５８】
この第３の実施の形態は、国外呼制御機能部１６からの出力情報と、国内特有出力情報とを複合した情報をアプリケーション８に通知し、呼制御を実行する構成及び処理を含んでいる。そこで、呼制御仕様統合システム１０において、ＡＰＬ仕様判断機能部１２は、アプリケーション８からの機能呼出に対し、国内仕様特有の入力情報の有無を判断する。国内仕様特有の入力情報が有る場合、国内呼制御機能部１４を呼び出す。国内呼制御機能部１４は国内仕様特有の入力情報をデータとして保持する。データ管理完了後、ＡＰＬ仕様判断機能部１２は、国外呼制御機能部１６を呼び出す。
【００５９】
国外呼制御機能部１６は入力情報をＮＷ仕様判断機能部２０に通知する。ＮＷ仕様判断機能部２０では、国外呼制御機能部１６から通知された情報に国内呼制御機能部１４より取得した国内仕様特有の入力情報を加え、ネットワーク部６に送信する。その後、ネットワーク部６からの応答に対し、ＮＷ仕様判断機能部２０は、応答情報に国内仕様特有の情報が含まれるか判断する。国内仕様特有の情報が有る場合、ＮＷ仕様判断機能部２０は国内仕様特有の応答情報を国内呼制御機能部１４に通知する。国内呼制御機能部１４は国内仕様特有の応答情報をデータとして管理する。データ管理完了後、ＮＷ仕様判断機能部２０は国外呼制御機能部１６を呼び出す。
【００６０】
国外呼制御機能部１６は応答情報をＡＰＬ仕様判断機能部１２に通知する。ＡＰＬ仕様判断機能部１２は、国外呼制御機能部１６から通知された情報に、国内呼制御機能部１４が管理する国内仕様特有の応答情報を加え、アプリケーション８に通知する。
【００６１】
次に、第３の実施の形態について、図９及び図１０を参照する。図９及び図１０は、第３の実施の形態に係る処理手順を示すフローチャートである。このフローチャートの処理手順は一例であって、この処理手順に本発明が限定されるものではない。図９及び図１０において、フローチャートの端末部にある、ｃはフローチャート間の結合部分である連結子を示す。また、各処理ステップに記載した数字（１ｃ、２ｃ・・・）は、図８に示す処理番号に対応する。
【００６２】
この処理手順には、図９に示すように、アプリケーション８の要求に含まれる国内特有入力情報の有無を確認し、国内仕様及び国外仕様の複合処理や、ネットワーク部６に対する通知処理が含まれる。
【００６３】
そこで、アプリケーション８から要求応答型の要求を行い（１ｃ、ステップＳ４１）と、その要求に国内特有入力情報が有るか否かをＡＰＬ仕様判断機能部１２により判断する（ステップＳ４２）。
【００６４】
国内特有入力情報が有る場合（ステップＳ４２のＹＥＳ）には、処理ＥとしてステップＳ４３ないしステップＳ４７が実行され、国内特有入力情報が無い場合（ステップＳ４２のＮＯ）には、国内仕様のみの要求や、処理Ｃ（図６）の処理が実行される（ステップＳ４８）。
【００６５】
処理Ｅでは、ＡＰＬ仕様判断機能部１２は国内呼制御機能部１４に要求を送信し（２ｃ、ステップＳ４３）、ＡＰＬ仕様判断機能部１２は国外呼制御機能部１６に要求を送信し（３ｃ、ステップＳ４４）、国外呼制御機能部１６はＮＷ仕様判断機能部２０に要求を送信し（４ｃ、ステップＳ４５）、国内呼制御機能部１４はＮＷ仕様判断機能部２０に国内特有入力情報を保持させ（５ｃ、ステップＳ４６）、ＮＷ仕様判断機能部２０は国外呼制御機能部１６から受け取った入力情報と、国内呼制御機能部１４より取得した国内特有入力情報とを複合し、ネットワーク部６に送信し（６ｃ、ステップＳ４７）、この要求処理を完了する。
【００６６】
また、ネットワーク部６から応答を受けた場合の処理では、図１０に示すように、ネットワーク部６からの応答に含まれる国内特有出力情報の有無を確認し、それに基づくアプリケーション８に対する通知処理が含まれる。
【００６７】
そこで、図１０に示すように、ネットワーク部６から応答を受信する（７ｃ、ステップＳ４９）と、その応答に国内特有出力情報が有るか否かをＮＷ仕様判断機能部２０により判断する（ステップＳ５０）。ここで、国内特有出力情報とは既述の通りである。
【００６８】
国内特有出力情報が無い場合（ステップＳ５０のＮＯ）には、処理Ｂ（図４）が実行され（ステップＳ５１）、国内特有出力情報が有る場合（ステップＳ５０のＹＥＳ）には、処理Ｆが実行される。
【００６９】
処理Ｆでは、ＮＷ仕様判断機能部２０は国内呼制御機能部１４に国内特有出力情報を保持させ（８ｃ、ステップＳ５２）、ＮＷ仕様判断機能部２０は国外呼制御機能部１６に応答を送信し（９ｃ、ステップＳ５３）、国外呼制御機能部１６はＡＰＬ仕様判断機能部１２に応答到着を報告する（１０ｃ、ステップＳ５４）。ＡＰＬ仕様判断機能部１２は国内呼制御機能部１４に保持する国内特有出力情報を取得し（１１ｃ、ステップＳ５５）、ＡＰＬ仕様判断機能部１２は、国外呼制御機能部１６から受け取った出力情報と、国内特有出力情報とを複合した情報をアプリケーション８に通知し（１２ｃ、ステップＳ５６）、この応答処理を完了する。
【００７０】
このように、国外呼制御機能部１６からの出力情報と、国内特有出力情報とを複合した情報をアプリケーション８に通知し、呼制御を実行する構成としても、アプリケーション８からの要求に対応する仕様を以てネットワーク部６との連携が図られ、アプリケーション８に対応した呼制御を実現することができる。そして、第３の実施の形態においても、第１の実施の形態と同様に既述の効果が得られる。
【００７１】
〔第４の実施の形態〕
【００７２】
第４の実施の形態について、図１１を参照する。図１１は、第４の実施の形態に係る処理手順を付加して示した携帯装置の構成例を示す図である。図１１に示す構成は一例であって、斯かる構成に本発明が限定されるものではない。図１１において、図１と同一部分には同一符号を付してある。
【００７３】
この第４の実施の形態は、国内呼制御機能部１４が保持する入力情報と、ネットワーク部６から取得した国外仕様情報とを複合した情報をアプリケーション８に通知し、呼制御を実行する構成及び処理を含んでいる。そこで、図１１に示すように、呼制御仕様統合システム１０において、ＡＰＬ仕様判断機能部１２は、アプリケーション８からの機能呼出に対し、国内仕様特有の入力情報の有無を判断する。国内仕様特有の入力情報が有る場合、国内呼制御機能部１４を呼び出す。国内呼制御機能部１４では国内仕様特有の入力情報をデータとして保持する。その後、ネットワーク部６からの通知に対し、ＮＷ仕様判断機能部２０は、通知情報に国内仕様特有の情報が含まれるか判断する。国内仕様特有の情報が無い場合は国外呼制御機能部１６を呼び出す。国外呼制御機能部１６は通知情報をＡＰＬ仕様判断機能部１２に通知する。ＡＰＬ仕様判断機能部１２は、国外呼制御機能部１６から通知された情報に、国内呼制御機能部１４が管理する国内仕様特有の入力情報を加え、アプリケーション８に通知する。
【００７４】
次に、第４の実施の形態について、図１２を参照する。図１２は、第４の実施の形態に係る処理手順を示すフローチャートである。このフローチャートの処理手順は一例であって、この処理手順に本発明が限定されるものではない。また、各処理ステップに記載した数字（１ｄ、２ｄ・・・）は、図１１に示す処理番号に対応する。
【００７５】
この処理手順には、アプリケーション８の要求に含まれる国内特有入力情報の有無を確認し、国内仕様及び国外仕様の複合処理や、アプリケーション８に対する通知処理が含まれる。
【００７６】
そこで、アプリケーション８から通知受信要求を行い（１ｄ、ステップＳ６１）、その通知受信要求に国内特有入力情報が有るか否かをＡＰＬ仕様判断機能部１２で判断する（ステップＳ６２）。
【００７７】
通知受信要求に国内特有入力情報が有る場合（ステップＳ６２のＹＥＳ）には、処理ＧとしてステップＳ６３ないしステップＳ７１が実行され、国内特有入力情報が無い場合（ステップＳ６２のＮＯ）には、国外仕様のみの通知受信又は処理Ｉ（図１４）の処理が実行される（ステップＳ７２）。
【００７８】
処理Ｇでは、ＡＰＬ仕様判断機能部１２は国内呼制御機能部１４に国内特有入力情報を入出力情報管理部１８に保持させ（２ｄ、ステップＳ６３）、ＡＰＬ仕様判断機能部１２は国外呼制御機能部１６に対して通知受信待ち要求を行い（３ｄ、ステップＳ６４）、ネットワーク部６からの通知を受信し（４ｄ、ステップＳ６５）、その通知に国内特有出力情報が有るか否かをＮＷ仕様判断機能部２０にて判断する（ステップＳ６６）。
【００７９】
通知に国内特有出力情報が無い場合（ステップＳ６６のＮＯ）には、処理ＨとしてステップＳ６７〜ステップＳ７０が実行され、通知に国内特有出力情報が有る場合（ステップＳ６６のＹＥＳ）には、処理Ｋ（図１６）が実行される（ステップＳ７１）。
【００８０】
処理Ｈでは、ＮＷ仕様判断機能部２０は通知受信待ちの国外呼制御機能部１６に通知を行い（５ｄ、ステップＳ６７）、国外呼制御機能部１６はＡＰＬ仕様判断機能部１２に通知到着を報告し（６ｄ、ステップＳ６８）、ＡＰＬ仕様判断機能部１２は国内呼制御機能部１４に入出力情報管理部１８が保持する入力情報を取得させ（７ｄ、ステップＳ６９）、ＡＰＬ仕様判断機能部１２は、国内呼制御機能部１４で保持する入力情報と、ネットワーク部６からの国外仕様情報とを複合した情報をアプリケーション８に通知し（８ｄ、ステップＳ７０）、この処理を終了する。
【００８１】
このように、国内呼制御機能部１４で保持する入力情報と、ネットワーク部６から取得した国外仕様情報とを複合した情報をアプリケーション８に通知し、呼制御を実行する構成としても、アプリケーション８からの要求に対応する仕様を以てネットワーク部６との連携が図られ、アプリケーション８に対応した呼制御を実現することができる。そして、第４の実施の形態においても、第１の実施の形態と同様に既述の効果が得られる。
【００８２】
〔第５の実施の形態〕
【００８３】
第５の実施の形態について、図１３を参照する。図１３は、第５の実施の形態に係る処理手順を付加して示した携帯装置の構成例を示す図である。図１３に示す構成は一例であって、斯かる構成に本発明が限定されるものではない。図１３において、図１と同一部分には同一符号を付してある。
【００８４】
この第５の実施の形態は、国内呼制御機能部１４で保持する出力情報と、ネットワーク部６から取得した国外仕様情報とを複合した情報をアプリケーション８に通知し、呼制御を実行する構成及び処理を含んでいる。そこで、呼制御仕様統合システム１０において、ＡＰＬ仕様判断機能部１２は、アプリケーション８からの機能呼出に対し、国内仕様特有の入力情報の有無を判断する。国内仕様特有の入力情報が無い場合、国外呼制御機能部１６を呼び出す。その後、ネットワーク部６からの通知に対し、ＮＷ仕様判断機能部２０は、通知情報に国内仕様特有の情報が含まれるか否かを判断する。国内仕様特有の情報が有る場合、ＮＷ仕様判断機能部２０は国内仕様特有の通知情報を国内呼制御機能部１４に通知する。国内呼制御機能部１４は国内仕様特有の通知情報をデータとして管理する。データ管理完了後、ＮＷ仕様判断機能部２０は国外呼制御機能部１６を呼び出す。国外呼制御機能部１６は通知情報をＡＰＬ仕様判断機能部１２に通知する。ＡＰＬ仕様判断機能部１２は、国外呼制御機能部１６から通知された情報に、国内呼制御機能部１４が管理する国内仕様特有の通知情報を加え、アプリケーション８に通知する。
【００８５】
次に、第５の実施の形態について、図１４を参照する。図１４は、第５の実施の形態に係る処理手順を示すフローチャートである。このフローチャートの処理手順は一例であって、この処理手順に本発明が限定されるものではない。また、各処理ステップに記載した数字（１ｅ、２ｅ・・・）は、図１３に示す処理番号に対応する。
【００８６】
この処理手順には、アプリケーション８の要求に含まれる国内特有入力情報の有無を確認し、国内仕様及び国外仕様の複合処理や、アプリケーション８に対する通知処理が含まれる。
【００８７】
そこで、アプリケーション８から通知受信要求を行い（１ｅ、ステップＳ８１）、その通知受信要求に国内特有入力情報が有るか否かをＡＰＬ仕様判断機能部１２で判断する（ステップＳ８２）。
【００８８】
通知受信要求に国内特有入力情報が有る場合（ステップＳ８２のＹＥＳ）には、処理Ｇ（図１２）又は処理Ｊ（図１６）の処理が実行され（ステップＳ８３）、通知受信要求に国内特有入力情報が無い場合（ステップＳ８２のＮＯ）には、処理ＩとしてステップＳ８４ないしステップＳ９２が実行される。
【００８９】
処理Ｉでは、ＡＰＬ仕様判断機能部１２は国外呼制御機能部１６に通知受信待ち要求を行い（２ｅ、ステップＳ８４）、ネットワーク部６からの通知を受信する（３ｅ、ステップＳ８５）。その通知に国内特有出力情報が有るか否かをＮＷ仕様判断機能部２０で判断する（ステップＳ８６）。
【００９０】
通知に国内特有出力情報が無い場合（ステップＳ８６のＮＯ）には、国外仕様のみの通知となり（ステップＳ８７）、国内特有出力情報が有る場合（ステップＳ８６のＹＥＳ）には、ＮＷ仕様判断機能部２０は国内呼制御機能部１４に国内特有出力情報を入出力情報管理部１８に保持させ（４ｅ、ステップＳ８８）、ＮＷ仕様判断機能部２０は通知受信待ちの国外呼制御機能部１６に通知を行う（５ｅ、ステップＳ８９）。国外呼制御機能部１６はＡＰＬ仕様判断機能部１２に通知到着を報告し（６ｅ、ステップＳ９０）、ＡＰＬ仕様判断機能部１２は国内呼制御機能部１４に入出力情報管理部１８が保持する国内特有出力情報を取得させ（７ｅ、ステップＳ９１）、ＡＰＬ仕様判断機能部１２は、国内呼制御機能部１４で保持する出力情報と、ネットワーク部６からの国外仕様情報とを複合した情報をアプリケーション８に通知し（８ｅ、ステップＳ９２）、この処理を終了する。
【００９１】
このように、国内呼制御機能部１４で保持する出力情報と、ネットワーク部６から取得した国外仕様情報とを複合した情報をアプリケーション８に通知し、呼制御を実行する構成としても、アプリケーション８からの要求に対応する仕様を以てネットワーク部６との連携が図られ、アプリケーション８に対応した呼制御を実現することができる。そして、第５の実施の形態においても、第１の実施の形態と同様に既述の効果が得られる。
【００９２】
〔第６の実施の形態〕
【００９３】
第６の実施の形態について、図１５を参照する。図１５は、第６の実施の形態に係る処理手順を付加して示した携帯装置の構成例を示す図である。図１５に示す構成は一例であって、斯かる構成に本発明が限定されるものではない。図１５において、図１と同一部分には同一符号を付してある。
【００９４】
この第６の実施の形態は、国内特有入力情報及び／又は出力情報と、ネットワーク部６から取得した国外仕様情報とを複合した情報をアプリケーション８に通知し、呼制御を実行する構成及び処理を含んでいる。そこで、呼制御仕様統合システム１０において、ＡＰＬ仕様判断機能部１２は、アプリケーション８からの機能呼出に対し、国内仕様特有の入力情報の有無を判断する。国内仕様特有の入力情報が有る場合、国内呼制御機能部１４を呼び出す。国内呼制御機能部１４では国内仕様特有の入力情報をデータとして保持する。その後、ネットワーク部６からの通知に対し、ＮＷ仕様判断機能部２０は、通知情報に国内仕様特有の情報が含まれるか判断する。国内仕様特有の情報が有る場合、ＮＷ仕様判断機能部２０は国内仕様特有の通知情報を国内呼制御機能部１４に通知する。国内呼制御機能部１４は国内仕様特有の通知情報をデータとして管理する。データ管理完了後、ＮＷ仕様判断機能部２０は国外呼制御機能部１６を呼び出す。国外呼制御機能部１６は通知情報をＡＰＬ仕様判断機能部１２に通知する。ＡＰＬ仕様判断機能部１２は、国外呼制御機能部１６からの通知情報に、国内呼制御機能部１４が管理する国内仕様特有の入力情報及び通知情報を加え、アプリケーション８に通知する。
【００９５】
次に、第６の実施の形態について、図１６を参照する。図１６は、第６の実施の形態に係る処理手順を示すフローチャートである。このフローチャートの処理手順は一例であって、この処理手順に本発明が限定されるものではない。また、各処理ステップに記載した数字（１ｆ、２ｆ・・・）は、図１５に示す処理番号に対応する。
【００９６】
この処理手順には、アプリケーション８の要求に含まれる国内特有入力情報の有無を確認し、国内仕様及び国外仕様の複合処理や、アプリケーション８に対する通知処理が含まれる。
【００９７】
そこで、アプリケーション８から通知受信要求を行い（１ｆ、ステップＳ１０１）、その通知受信要求に国内特有入力情報が有るか否かをＡＰＬ仕様判断機能部１２で判断する（ステップＳ１０２）。
【００９８】
通知受信要求に国内特有入力情報が有る場合（ステップＳ１０２のＹＥＳ）には、処理ＪとしてステップＳ１０３ないしステップＳ１１２が実行され、また、通知受信要求に国内特有入力情報が無い場合（ステップＳ１０２のＮＯ）には、国外仕様のみの通知受信、若しくは処理Ｉ（図１４）が実行される（ステップＳ１１３）。
【００９９】
処理Ｊでは、ＡＰＬ仕様判断機能部１２は国内呼制御機能部１４に国内特有入力情報を入出力情報管理部１８に保持させ（２ｆ、ステップＳ１０３）、ＡＰＬ仕様判断機能部１２は国外呼制御機能部１６に通知受信待ち要求を行い（３ｆ、ステップＳ１０４）、ネットワーク部６からの通知を受信する（４ｆ、ステップＳ１０５）。その通知に国内特有出力情報が有るか否かをＮＷ仕様判断機能部２０で判断する（ステップＳ１０６）。
【０１００】
通知に国内特有出力情報が無い場合（ステップＳ１０６のＮＯ）には、処理Ｈ（図１２）が実行され（ステップＳ１０７）、通知に国内特有出力情報が有る場合（ステップＳ１０６のＹＥＳ）には、処理ＫとしてステップＳ１０８ないしステップＳ１１２が実行される。
【０１０１】
処理Ｋでは、ＮＷ仕様判断機能部２０は国内呼制御機能部１４に国内特有出力情報を入出力情報管理部１８に保持させ（５ｆ、ステップＳ１０８）、ＮＷ仕様判断機能部２０は通知受信待ちの国外呼制御機能部１６に通知を行い（６ｆ、ステップＳ１０９）、国外呼制御機能部１６はＡＰＬ仕様判断機能部１２に通知到着を報告し（７ｆ、ステップＳ１１０）、ＡＰＬ仕様判断機能部１２は国内呼制御機能部１４に入出力情報管理部１８が保持する国内特有入力情報及び／又は出力情報を取得させ（８ｆ、ステップＳ１１１）、ＡＰＬ仕様判断機能部１２は、国内特有入力情報及び／又は出力情報と、ネットワーク部６からの国外仕様情報とを複合した情報をアプリケーション８に通知し（９ｆ、ステップＳ１１２）、この処理を終了する。
【０１０２】
このように、国内特有入力情報及び／又は出力情報と、ネットワーク部６から取得した国外仕様情報とを複合した情報をアプリケーション８に通知し、呼制御を実行する構成としても、アプリケーション８からの要求に対応する仕様を以てネットワーク部６との連携が図られ、アプリケーション８に対応した呼制御を実現することができる。そして、第６の実施の形態においても、第１の実施の形態と同様に既述の効果が得られる。
【０１０３】
〔他の実施の形態〕
【０１０４】
上記実施の形態では、携帯装置２として携帯電話装置を例示したが、パーソナルコンピュータや携帯情報端末機（ＰＤＡ：Personal Digital Assistant）の他、呼制御が必要な通信装置に適用でき、本発明は、携帯電話装置に限定されるものではない。
【実施例】
【０１０５】
携帯装置の実施例について、図１７及び図１８を参照する。図１７は、携帯装置のハードウェアの構成例を示す図、図１８は、携帯装置の構成例を示す図である。図１７及び図１８に示す構成は一例であって、斯かる構成に本発明が限定されるものではない。図１７及び図１８において、図１と対応部分には同一符号を付してある。
【０１０６】
この携帯装置２のハードウェア構成は、図１に示す携帯装置２を実現する構成例である。この携帯装置２には、アプリケーションＣＰＵ（Central Processing Unit ）３２、コミュニケーションＣＰＵ３４、記憶部３６、ＲＡＭ（Random-Access Memory）３８、無線部４０、入力操作部４２、表示部４４及び入出力装置４６が備えられている。アプリケーションＣＰＵ３２及びコミュニケーションＣＰＵ３４は共に制御手段であって、アプリケーションＣＰＵ３２は記憶部３６にあるＯＳ（Operating System）や各種アプリケーションを実行する手段であり、コミュニケーションＣＰＵ３４は呼制御仕様統合システム１０（図１）を記憶部３６とともに構成し、統合仕様に基づく呼制御の処理ないしその処理の支援をする。
【０１０７】
記憶部３６はプログラムやデータを記憶する記憶手段であって、例えば、Ｆｌａｓｈメモリで構成され、プログラム領域４８とデータ領域５０とを備える。プログラム領域４８には、ＯＳ５２、仕様統合制御プログラム５４、国内仕様、国外仕様、国内及び国外仕様に対応する各種のアプリケーション８が分離されて格納されている。データ領域５０には、国内仕様と国外仕様とを識別するための特有情報が格納されている。ＲＡＭ３８は、ＯＳ５２や実行すべきアプリケーション８や仕様統合制御プログラム５４が展開され、データ処理のワークエリアとして用いられる。従って、既述のＡＰＬ仕様判断機能部１２、国内呼制御機能部１４、国外呼制御機能部１６、入出力情報管理部１８、ＮＷ仕様判断機能部２０は、コミュニケーションＣＰＵ３４、記憶部３６、ＲＡＭ３８で構成される。
【０１０８】
無線部４０は、図示しない基地局との無線通信を行う通信手段であって、既述のネットワーク部６を構成して電話信号やパケット信号の送受信を行う。この無線部４０には、基地局との電波の送受信を行うためのアンテナ５８が接続されている。
【０１０９】
入力操作部４２は携帯装置２に対してユーザが必要な情報を入力する入力手段であって、キーボード等で構成される。表示部４４は、ユーザに対して文字情報や画像情報を提示する情報提示手段であって、例えば、ＬＣＤ（Liquid Crystal Display）表示素子で構成される。
【０１１０】
入出力装置４６は音声情報の入出力手段であって、マイクロフォン入力部６０、レシーバ出力部６２、スピーカ出力部６４を備えている。マイクロフォン入力部６０にはマイクロフォン６６からの音声信号が加えられ、レシーバ出力部６２には人の聴覚部に当てられるレシーバ６８が接続され、レシーバ６８に対する音声出力が取り出される。また、スピーカ出力部６４にはスピーカ７０が接続され、レシーバ６８とは別個に音声出力が取り出される。
【０１１１】
この携帯装置２は、図１８に示すように、例えば、第１及び第２の筐体部７２、７４がヒンジ部７６で連結されて折畳み可能に構成され、筐体部７２には、アプリケーションＣＰＵ３２、コミュニケーションＣＰＵ３４及び記憶部３６が内蔵されるとともに、入力操作部４２、マイクロフォン６６等が設置され、筐体部７４には、表示部４４、アンテナ５８、レシーバ６８、スピーカ７０等が設置されている。
【０１１２】
この携帯装置２の発信要求実行時の動作及び動作手順について、図１９を参照する。図１９は、第１の実施の形態に対応する発信要求実行時の動作及び動作手順を示すフローチャートである。このフローチャートの処理手順は一例であって、この処理手順に本発明が限定されるものではない。
【０１１３】
この実施例では、国内仕様特有の入力情報として着もじ文字情報が用いられている。
【０１１４】
(1) アプリケーション８からＡＰＬ仕様判断機能部１２に対し、国内仕様特有の入力情報である、着もじ文字情報と国外仕様に準ずる入力情報である電話番号情報を設定した発信要求を送信する。ＡＰＬ仕様判断機能部１２は、国内仕様特有の入力情報が有るか否かのチェックを行い、国内仕様特有の入力情報である、着もじ文字情報を検出し、国内仕様特有の入力情報有りと判断する。〔ステップＳ２０１〕
【０１１５】
(2) ＡＰＬ仕様判断機能部１２は国内呼制御機能部１４に対し、着もじ文字情報を送信する。国内呼制御機能部１４は、着もじ文字情報をＮＷ仕様判断機能部２０から要求があるまでの間、保持しておく。〔ステップＳ２０２〕
【０１１６】
(3) ＡＰＬ仕様判断機能部１２から国外呼制御機能部１６に対し、電話番号情報を設定した発信要求を送信する。〔ステップＳ２０３〕
【０１１７】
(4) 国外呼制御機能部１６からＮＷ仕様判断機能部２０に対し、電話番号情報を設定した発信要求を送信する。〔ステップＳ２０４〕
【０１１８】
(5) ＮＷ仕様判断機能部２０は、国内呼制御機能部１４からステップＳ２０２で保持していた着もじ文字情報を取得する。〔ステップＳ２０５〕
【０１１９】
(6) ステップＳ２０４で受信した電話番号情報と、ステップＳ２０５で取得した着もじ文字情報を合わせてネットワーク部６に送信する。〔ステップＳ２０６〕
【０１２０】
(7) ＮＷ仕様判断機能部２０は、ネットワーク部６から発信応答通知を受信する。ＮＷ仕様判断機能部２０は、国内仕様特有の出力情報が有るか否かのチェックを行い、国内仕様特有の出力情報無しと判断する。〔ステップＳ２０７〕
【０１２１】
(8) ＮＷ仕様判断機能部２０から国外呼制御機能部１６に対し、発信応答通知を送信する。〔ステップＳ２０８〕
【０１２２】
(9) 国外呼制御機能部１６からＡＰＬ仕様判断機能部１２に対し、発信応答通知を送信する。〔ステップＳ２０９〕
【０１２３】
(10)  ＡＰＬ仕様判断機能部１２からアプリケーション８に対し、発信応答通知を送信する。〔ステップＳ２１０〕
【０１２４】
次に、処理手順について、図２０及び図２１を参照する。図２０及び図２１は、処理シーケンスを示し、図２０は、アプリケーションからネットワーク部に至る処理を示す処理シーケンス、図２１は、ネットワーク部からアプリケーションに至る処理を示す処理シーケンスである。
【０１２５】
図２０に示すように、アプリケーション８の呼制御処理（ステップＳ３０１）において、着もじ文字情報と電話番号情報を設定した発信要求をＡＰＬ仕様判断機能部１２に送信する（ステップＳ３０２）。ＡＰＬ仕様判断機能部１２では、着もじ文字情報の有無の判断（ステップＳ３０３）を行い、着もじ文字情報が存在すれば、国内呼制御機能部１４に送信する（ステップＳ３０４）。また、ＡＰＬ仕様判断機能部１２では、電話番号情報を設定した発信要求を国外呼制御機能部１６に送信する（ステップＳ３０５）。
【０１２６】
国内呼制御機能部１４では、着もじ文字情報を保持する（ステップＳ３０６）。
【０１２７】
国外呼制御機能部１６では、ＡＰＬ仕様判断機能部１２から送信された電話番号情報を受信し（ステップＳ３０７）、この電話番号情報の発信要求をＮＷ仕様判断機能部２０に送信する（ステップＳ３０８）。
【０１２８】
ＮＷ仕様判断機能部２０では、国外呼制御機能部１６からの電話番号情報を受信し（ステップＳ３０９）、着もじ文字情報の発信要求を国内呼制御機能部１４に送信する（ステップＳ３１０）。この発信要求を受け、国内呼制御機能部１４は、保持している着もじ文字情報をＮＷ仕様判断機能部２０に送信し（ステップＳ３１１）、ＮＷ仕様判断機能部２０が着もじ文字情報を取得する（ステップＳ３１２）。そして、ＮＷ仕様判断機能部２０は、着もじ文字情報と電話番号情報とを複合し、ネットワーク部６に送信する（ステップＳ３１３）。
【０１２９】
これを受け、図２１に示すように、ネットワーク部６は、発信応答通知をＮＷ仕様判断機能部２０に送信し（ステップＳ３１４）、ＮＷ仕様判断機能部２０では、着もじ文字情報の有無の判断（ステップＳ３１５）を行い、発信応答通知を国外呼制御機能部１６に送信する（ステップＳ３１６）。
【０１３０】
国外呼制御機能部１６は、発信応答通知を受信し（ステップＳ３１７）、その発信応答通知をＡＰＬ仕様判断機能部１２に送信し（ステップＳ３１８）、ＡＰＬ仕様判断機能部１２では、その発信応答通知を受信し（ステップＳ３１９）、ＡＰＬ仕様判断機能部１２から発信応答通知がアプリケーション８に送信され（ステップＳ３２０）、呼制御処理（ステップＳ３２１）に復帰し、アプリケーション８では呼制御が実行される。
【０１３１】
この処理手順は、第１の実施の形態（図３、図４）の処理を具体化したものであるが、第２ないし第６の実施の形態についても同様に具体化し、国内仕様、国外仕様の呼制御を実現することができる。
【０１３２】
次に、入出力情報管理部１８の管理データについて、図２２を参照する。図２２は、入出力情報管理データのデータテーブルの一例を示す図である。
【０１３３】
この入出力情報管理データ４００は、入出力情報管理部１８において管理されるデータであって、上記実施例の記憶部３６のデータ領域５０に格納されて保持されている。この入出力情報管理データ４００において、「Ｎｏ．」は、データを識別するテーブル番号、「ＩＮ／ＯＵＴ」は、入出力の形態であり、記載された変数名の全ては入力情報であることを示している。「変数名」は情報を特定するための識別名である。
【０１３４】
この場合の管理データは、「変数名」に記載されている通り、「着もじ文字情報」、「非通知設定」、「ＴＯＮ情報」、「ＮＰＩ情報」、「発側サブアドレス」、「着側サブアドレス」、「コーデックパラメータ」、「ベアラパラメータ」、「ダイヤル番号」、「ＰｏＣ設定」等である。
【０１３５】
「国内／国外」は、各「変数名」が付された国内情報か国外情報かを示しており、斯かる情報が国内仕様又は国外仕様の識別に用いることができるデータであることを表している。即ち、「着もじ文字情報」は、国内仕様ソフトウェアを特定するための国内仕様特有情報であることを表し、斯かる情報が含まれているソフトウェアは国内仕様と判断できることになり、国内仕様に対応した呼制御が実行されることになる。
【０１３６】
次に、以上述べた本発明の実施の形態から抽出される技術的思想を請求項の記載形式に準じて付記として列挙する。本発明に係る技術的思想は上位概念から下位概念まで、様々なレベルやバリエーションにより把握できるものであり、以下の付記に本発明が限定されるものではない。
【０１３７】
（付記１）  国内仕様、国外仕様の呼制御が行える、携帯装置の仕様統合制御システムであって、
国外仕様と分離された国内仕様の機能の実行に用いられる国内仕様機能部と、前記国内仕様と分離された国外仕様の機能の実行に用いられる国外仕様機能部とを備え、前記国外仕様機能部をベースに、前記国内仕様機能部が結合されてなることを特徴とする、携帯装置の仕様統合制御システム。
【０１３８】
（付記２）  付記１記載の携帯装置の仕様統合制御システムにおいて、
前記国内仕様機能部が、国内仕様に基づき、通信先との呼制御を実行する国内呼制御機能部、又は該国内呼制御機能部を含む機能部であることを特徴とする、携帯装置の仕様統合制御システム。
【０１３９】
（付記３）  付記１記載の携帯装置の仕様統合制御システムにおいて、
前記国外仕様機能部が、国外仕様に基づき、通信先との呼制御を実行する国外呼制御機能部、又は該国外呼制御機能部を含む機能部であることを特徴とする、携帯装置の仕様統合制御システム。
【０１４０】
（付記４）  付記１記載の携帯装置の仕様統合制御システムにおいて、
搭載するアプリケーションが国内仕様か国外仕様かの仕様判断をする仕様判断手段を備え、仕様判断手段の判断結果に基づき、国内仕様又は国外仕様を確立させることを特徴とする、携帯装置の仕様統合制御システム。
【０１４１】
（付記５）  付記１記載の携帯装置の仕様統合制御システムにおいて、
ネットワークとの要求応答を行う場合に、入力情報に含まれる国内仕様特有の入力情報を保持する保持手段を備え、該保持手段に保持されている国内仕様の入力情報と国外仕様の入力情報とを結合し、前記ネットワークに通知する機能を有することを特徴とする、携帯装置の仕様統合制御システム。
【０１４２】
（付記６）  付記１記載の携帯装置の仕様統合制御システムにおいて、
ネットワークとの要求応答を行う場合に、応答情報に含まれる国内仕様特有の出力情報を保持する保持手段を備え、該保持手段に保持されている国内仕様の出力情報と国外仕様の出力情報とを結合し、アプリケーションに通知する機能を有することを特徴とする、携帯装置の仕様統合制御システム。
【０１４３】
（付記７）  付記１記載の携帯装置の仕様統合制御システムにおいて、
ネットワークとの要求応答を行う場合に、国内仕様特有の入力情報と、応答情報に含まれる国内仕様特有の出力情報とを保持する保持手段を備え、国外仕様の入力情報と出力情報と、国内仕様特有の入力情報と出力情報とを結合し、ネットワークとアプリケーションに通知する機能を有することを特徴とする、携帯装置の仕様統合制御システム。
【０１４４】
（付記８）  付記１記載の携帯装置の仕様統合制御システムにおいて、
ネットワークからの通知を受ける際に、国内仕様特有の入力情報が必要となる場合に前記入力情報を保持する保持手段を備え、該保持手段に保持させている国内仕様の入力情報をネットワークからの通知を契機に国外仕様の通知情報をアプリケーションに通知する機能を有することを特徴とする、携帯装置の仕様統合制御システム。
【０１４５】
（付記９）  付記１記載の携帯装置の仕様統合制御システムにおいて、
ネットワークからの通知を受けた場合に、通知情報の内部に含まれる国内仕様特有の出力情報を保持する保持手段を備え、該保持手段に保持させている国内仕様の出力情報と国外仕様の通知情報とを結合し、アプリケーションに通知する機能を有することを特徴とする、携帯装置の仕様統合制御システム。
【０１４６】
（付記１０）  付記１記載の携帯装置の仕様統合制御システムにおいて、
ネットワークからの通知を待つ場合に、国内仕様特有の入力情報と、通知情報に含まれる国内仕様特有の出力情報とを保持する保持手段を備え、該保持手段に保持している国外仕様の通知情報と、国内仕様特有の入力情報と出力情報とを結合し、アプリケーションに通知する機能を有することを特徴とする、携帯装置の仕様統合制御システム。
【０１４７】
（付記１１）  国内仕様、国外仕様の呼制御が行える、携帯装置であって、
国外仕様と分離された国内仕様の機能の実行に用いられる国内仕様機能部と、前記国内仕様と分離された国外仕様の機能の実行に用いられる国外仕様機能部とを備え、前記国外仕様機能部をベースに、前記国内仕様機能部が結合されてなることを特徴とする、携帯装置。
【０１４８】
（付記１２）  付記１１記載の携帯装置であって、
付記２、３、４、５、６、７、８、９又は１０の携帯装置の仕様統合制御システムを搭載したことを特徴とする、携帯装置。
【０１４９】
（付記１３）  国内仕様、国外仕様の呼制御が行える、携帯装置に搭載されたコンピュータに実行させる仕様統合制御プログラムであって、
国外仕様と分離された国内仕様の機能の実行に用いられる国内仕様機能を実現するステップと、
前記国内仕様と分離された国外仕様の機能の実行に用いられる国外仕様機能を実現するステップと、
前記国外仕様機能をベースに、前記国内仕様機能を結合させるステップと、
を含むことを特徴とする、携帯装置の仕様統合制御プログラム。
【０１５０】
（付記１４）  付記１３記載の携帯装置の仕様統合制御プログラムにおいて、
搭載するアプリケーションが国内仕様か国外仕様かの仕様判断をするステップと、
仕様判断結果に基づき、国内仕様又は国外仕様を確立させるステップと、
を含むことを特徴とする、携帯装置の仕様統合制御プログラム。
【０１５１】
（付記１５）  付記１３記載の携帯装置の仕様統合制御プログラムにおいて、
ネットワークとの要求応答を行う場合に、入力情報に含まれる国内仕様特有の入力情報を保持手段に保持するステップと、
前記保持手段に保持されている国内仕様の入力情報と国外仕様の入力情報とを結合し、前記ネットワークに通知するステップと、
を含むことを特徴とする、携帯装置の仕様統合制御プログラム。
【０１５２】
（付記１６）  付記１３記載の携帯装置の仕様統合制御プログラムにおいて、
ネットワークとの要求応答を行う場合に、応答情報に含まれる国内仕様特有の出力情報を保持手段に保持するステップと、
前記保持手段に保持されている国内仕様の出力情報と国外仕様の出力情報とを結合し、アプリケーションに通知するステップと、
を含むことを特徴とする、携帯装置の仕様統合制御プログラム。
【０１５３】
（付記１７）  付記１３記載の携帯装置の仕様統合制御プログラムにおいて、
ネットワークとの要求応答を行う場合に、国内仕様特有の入力情報と、応答情報に含まれる国内仕様特有の出力情報とを保持手段に保持するステップと、
国外仕様の入力情報と出力情報と、国内仕様特有の入力情報と出力情報とを結合し、ネットワークとアプリケーションに通知するステップと、
を含むことを特徴とする、携帯装置の仕様統合制御プログラム。
【０１５４】
（付記１８）  付記１３記載の携帯装置の仕様統合制御プログラムにおいて、
ネットワークからの通知を受ける際に、国内仕様特有の入力情報が必要となる場合に前記入力情報を保持手段に保持するステップと、
前記保持手段に保持させている国内仕様の入力情報をネットワークからの通知を契機に国外仕様の通知情報をアプリケーションに通知するステップと、
を含むことを特徴とする、携帯装置の仕様統合制御プログラム。
【０１５５】
（付記１９）  付記１３記載の携帯装置の仕様統合制御プログラムにおいて、
ネットワークからの通知を受けた場合に、通知情報の内部に含まれる国内仕様特有の出力情報を保持手段に保持するステップと、
前記保持手段に保持させている国内仕様の出力情報と国外仕様の通知情報とを結合し、アプリケーションに通知するステップと、
を有することを特徴とする、携帯装置の仕様統合制御プログラム。
【０１５６】
（付記２０）  付記１３記載の携帯装置の仕様統合制御プログラムにおいて、
ネットワークからの通知を待つ場合に、国内仕様特有の入力情報と、通知情報に含まれる国内仕様特有の出力情報とを保持手段に保持するステップと、
前記保持手段に保持している国外仕様の通知情報と、国内仕様特有の入力情報と出力情報とを結合し、アプリケーションに通知するステップと、
とを含むことを特徴とする、携帯装置の仕様統合制御プログラム。
【０１５７】
（付記２１）  国内仕様、国外仕様の呼制御が行える、携帯装置の仕様統合制御方法であって、
国外仕様と分離された国内仕様の機能の実行に用いられる国内仕様機能を実現するステップと、
前記国内仕様と分離された国外仕様の機能の実行に用いられる国外仕様機能を実現するステップと、
前記国外仕様機能をベースに、前記国内仕様機能を結合させるステップと、
を含むことを特徴とする、携帯装置の仕様統合制御方法。
【０１５８】
（付記２２）  付記２１記載の携帯装置の仕様統合制御方法において、
搭載するアプリケーションが国内仕様か国外仕様かの仕様判断をするステップと、
仕様判断結果に基づき、国内仕様又は国外仕様を確立させるステップと、
を含むことを特徴とする、携帯装置の仕様統合制御方法。
【０１５９】
（付記２３）  付記２１記載の携帯装置の仕様統合制御方法において、
ネットワークとの要求応答を行う場合に、入力情報に含まれる国内仕様特有の入力情報を保持手段に保持するステップと、
前記保持手段に保持されている国内仕様の入力情報と国外仕様の入力情報とを結合し、前記ネットワークに通知するステップと、
を含むことを特徴とする、携帯装置の仕様統合制御方法。
【０１６０】
（付記２４）  付記２１記載の携帯装置の仕様統合制御方法において、
ネットワークとの要求応答を行う場合に、応答情報に含まれる国内仕様特有の出力情報を保持手段に保持するステップと、
前記保持手段に保持されている国内仕様の出力情報と国外仕様の出力情報とを結合し、アプリケーションに通知するステップと、
を含むことを特徴とする、携帯装置の仕様統合制御方法。
【０１６１】
（付記２５）  付記２１記載の携帯装置の仕様統合制御方法において、
ネットワークとの要求応答を行う場合に、国内仕様特有の入力情報と、応答情報に含まれる国内仕様特有の出力情報とを保持手段に保持するステップと、
国外仕様の入力情報と出力情報と、国内仕様特有の入力情報と出力情報とを結合し、ネットワークとアプリケーションに通知するステップと、
を含むことを特徴とする、携帯装置の仕様統合制御方法。
【０１６２】
（付記２６）  付記２１記載の携帯装置の仕様統合制御方法において、
ネットワークからの通知を受ける際に、国内仕様特有の入力情報が必要となる場合に前記入力情報を保持手段に保持するステップと、
前記保持手段に保持させている国内仕様の入力情報をネットワークからの通知を契機に国外仕様の通知情報をアプリケーションに通知するステップと、
を含むことを特徴とする、携帯装置の仕様統合制御方法。
【０１６３】
（付記２７）  付記２１記載の携帯装置の仕様統合制御方法において、
ネットワークからの通知を受けた場合に、通知情報の内部に含まれる国内仕様特有の出力情報を保持手段に保持するステップと、
前記保持手段に保持させている国内仕様の出力情報と国外仕様の通知情報とを結合し、アプリケーションに通知するステップと、
を有することを特徴とする、携帯装置の仕様統合制御方法。
【０１６４】
（付記２８）  付記２１記載の携帯装置の仕様統合制御方法において、
ネットワークからの通知を待つ場合に、国内仕様特有の入力情報と、通知情報に含まれる国内仕様特有の出力情報とを保持手段に保持するステップと、
前記保持手段に保持している国外仕様の通知情報と、国内仕様特有の入力情報と出力情報とを結合し、アプリケーションに通知するステップと、
とを含むことを特徴とする、携帯装置の仕様統合制御方法。
【０１６５】
以上説明したように、本発明の最も好ましい実施の形態や実施例等について説明したが、本発明は、上記記載に限定されるものではなく、特許請求の範囲に記載され、又は明細書に開示された発明の要旨に基づき、当業者において様々な変形や変更が可能であることは勿論であり、斯かる変形や変更が、本発明の範囲に含まれることは言うまでもない。
【産業上の利用可能性】
【０１６６】
本発明は、携帯電話端末装置等、電話機能を備えた携帯装置の呼制御システムに関し、特に、世界標準規格である３ＧＰＰをベースとする国外仕様及び国内仕様を統合する仕様統合制御システム、携帯装置及び仕様統合制御方法に適用でき、個別の仕様に対応可能な仕様の統合制御を構成でき、有用である。
【図面の簡単な説明】
【０１６７】
【図１】第１の実施の形態に係る携帯装置の構成例を示す図である。
【図２】処理手順を付加して示した携帯装置の構成例を示す図である。
【図３】第１の実施の形態に係る処理手順を示すフローチャートである。
【図４】第１の実施の形態に係る処理手順を示すフローチャートである。
【図５】第２の実施の形態に係る処理手順を付加して示した携帯装置の構成例を示す図である。
【図６】第２の実施の形態に係る処理手順を示すフローチャートである。
【図７】第２の実施の形態に係る処理手順を示すフローチャートである。
【図８】第３の実施の形態に係る処理手順を付加して示した携帯装置の構成例を示す図である。
【図９】第３の実施の形態に係る処理手順を示すフローチャートである。
【図１０】第３の実施の形態に係る処理手順を示すフローチャートである。
【図１１】第４の実施の形態に係る処理手順を付加して示した携帯装置の構成例を示す図である。
【図１２】第４の実施の形態に係る処理手順を示すフローチャートである。
【図１３】第５の実施の形態に係る処理手順を付加して示した携帯装置の構成例を示す図である。
【図１４】第５の実施の形態に係る処理手順を示すフローチャートである。
【図１５】第６の実施の形態に係る処理手順を付加して示した携帯装置の構成例を示す図である。
【図１６】第６の実施の形態に係る処理手順を示すフローチャートである。
【図１７】携帯装置のハードウェアの構成例を示す図である。
【図１８】携帯装置の構成例を示す図である。
【図１９】第１の実施の形態に対応する発信要求実行時の動作及び動作手順を示すフローチャートである。
【図２０】アプリケーションからネットワーク部に至る処理を示す処理シーケンスである。
【図２１】ネットワーク部からアプリケーションに至る処理を示す処理シーケンスである。
【図２２】入出力情報管理データのデータテーブルの一例を示す図である。
【符号の説明】
【０１６８】
２  携帯装置
６  ネットワーク部
８  アプリケーション
１０  呼制御仕様統合システム
１２  ＡＰＬ仕様判断機能部
１４  国内呼制御機能部
１６  国外呼制御機能部
１８  入出力情報管理部
２０  ＮＷ仕様判断機能部
【図１】
2009152695.tif 000003
【図２】
2009152695.tif 000004
【図３】
2009152695.tif 000005
【図４】
2009152695.tif 000006
【図５】
2009152695.tif 000007
【図６】
2009152695.tif 000008
【図７】
2009152695.tif 000009
【図８】
2009152695.tif 000010
【図９】
2009152695.tif 000011
【図１０】
2009152695.tif 000012
【図１１】
2009152695.tif 000013
【図１２】
2009152695.tif 000014
【図１３】
2009152695.tif 000015
【図１４】
2009152695.tif 000016
【図１５】
2009152695.tif 000017
【図１６】
2009152695.tif 000018
【図１７】
2009152695.tif 000019
【図１８】
2009152695.tif 000020
【図１９】
2009152695.tif 000021
【図２０】
2009152695.tif 000022
【図２１】
2009152695.tif 000023
【図２２】
2009152695.tif 000024